(57)【要約】【課題】表示過多を防止し、かつ長い期間の故障傾向と短い期間の故障傾向の両方を把握することができる表示制御装置を提供する。【解決手段】統合監視装置１は、全体の表示期間を時分割してなる複数のタイムスロットのそれぞれにおいて、当該タイムスロットで一番早い故障日時を含む表示用メッセージを表示させるとともに、予め設定された間隔で、前記表示させた表示用メッセージ以降の表示をさせる。【選択図】      図５
2004260673.tif 000002
【特許請求の範囲】
【請求項１】
複数のメッセージのそれぞれに故障日時が含まれるときの表示制御装置において、
全体の表示期間を時分割してなる複数のタイムスロットのそれぞれにおいて、当該タイムスロットで一番早い故障日時を含むメッセージを表示させるとともに、予め設定された間隔で、前記表示させたメッセージ以降の表示をさせる表示制御手段を備えること特徴とする表示制御装置。
【請求項２】
複数の監視装置のそれぞれが複数の監視対象ノードを監視するときの当該各監視装置から送信される故障メッセージに監視対象ノードでの故障日時が含まれているときに当該故障メッセージを受信して当該故障日時を含む表示用メッセージを生成する統合監視装置であって、
全体の表示期間を時分割してなる複数のタイムスロットのそれぞれにおいて、当該タイムスロットで一番早い故障日時を含む表示用メッセージを表示させるとともに、予め設定された間隔で、前記表示させた表示用メッセージ以降の表示をさせる表示制御手段を備えること特徴とする統合監視装置。
【請求項３】
前記表示用メッセージには、前記監視対象ノードの中で故障の発生したものを示す故障発生ノード名が含まれ、前記表示制御手段は、当該故障発生ノード名が、当該故障発生ノード名に対するものとして予め設定されたノード名に等しい場合に限り表示制御を行うことを特徴とする請求項２記載の統合監視装置。
【請求項４】
前記表示制御手段は、表示制御が必要である旨の情報が前記予め設定されたノード名に付与されている場合に限り表示制御を行うことを特徴とする請求項２または３記載の統合監視装置。
【請求項５】
前記表示用メッセージにはメッセージ本文が含まれ、前記表示制御手段は、当該メッセージ本文が、予め設定された要素により表される内容に等しい内容を表している場合に限り表示制御を行うことを特徴とする請求項２ないし４のいずれかに記載の統合監視装置。
【請求項６】
複数のメッセージのそれぞれに故障日時が含まれるときの表示制御装置が行う表示制御方法において、
全体の表示期間を時分割してなる複数のタイムスロットのそれぞれにおいて、当該タイムスロットで一番早い故障日時を含むメッセージを表示させるとともに、予め設定された間隔で、前記表示させたメッセージ以降の表示をさせること特徴とする表示制御方法。
【請求項７】
複数の監視装置のそれぞれが複数の監視対象ノードを監視するときの当該各監視装置から送信される故障メッセージに監視対象ノードでの故障日時が含まれているときに当該故障メッセージを受信して当該故障日時を含む表示用メッセージを生成する統合監視装置が行う表示制御方法であって、
全体の表示期間を時分割してなる複数のタイムスロットのそれぞれにおいて、当該タイムスロットで一番早い故障日時を含む表示用メッセージを表示させるとともに、予め設定された間隔で、前記表示させた表示用メッセージ以降の表示をさせること特徴とする表示制御方法。
【請求項８】
前記表示用メッセージには、前記監視対象ノードの中で故障の発生したものを示す故障発生ノード名が含まれ、当該故障発生ノード名が、当該故障発生ノード名に対するものとして予め設定されたノード名に等しい場合に限り表示制御を行うことを特徴とする請求項７記載の表示制御方法。
【請求項９】
表示制御が必要である旨の情報が前記予め設定されたノード名に付与されている場合に限り表示制御を行うことを特徴とする請求項７または８記載の表示制御方法。
【請求項１０】
前記表示用メッセージにはメッセージ本文が含まれ、当該メッセージ本文が、予め設定された要素により表される内容に等しい内容を表している場合に限り表示制御を行うことを特徴とする請求項７ないし９のいずれかに記載の表示制御方法。
【請求項１１】
請求項６ないし１０のいずれかに記載の表示制御方法を実行させるプログラムである表示制御プログラム。
【請求項１２】
請求項６ないし１０のいずれかに記載の表示制御方法を実行させるプログラムである表示制御プログラムを格納した記録媒体。
【発明の詳細な説明】
【０００１】
【発明の属する技術分野】
本発明は、表示過多を防止し、かつ長い期間の故障傾向と短い期間の故障傾向の両方を把握することができる表示制御装置、表示制御方法、表示制御プログラム、表示制御プログラムを格納した記録媒体及び統合監視装置に関する。
【０００２】
【従来の技術】
従来、ネットワーク内で稼働している監視対象ノードからの故障メッセージを、一旦、監視装置が中継し、最終的には統合監視装置で表示するという形態の運用がなされている。
【０００３】
図６は、上記の統合監視装置が行う表示方法を示す図である。統合監視装置は、故障メッセージのメッセージ本文を、当該故障メッセージに含まれた故障日時に基づいて時系列に表示させる。
【０００４】
なお、（１）最大表示メッセージ数を設定し、この最大表示メッセージ数を超える故障メッセージは表示しないというフィルタリングを行うことで、あるいは、（２）表示すべき期間を複数のタイムスロットに分割するとともに、各タイムスロットでは１回だけ表示するというフィルタリングを行うことで、故障メッセージの表示過多が防止されている。
【０００５】
なお、類似の技術が下記の特許文献１に記載されている。
【０００６】
【特許文献１】
特開２０００−５９３６４号公報
【０００７】
【発明が解決しようとする課題】
しかしながら、上記した（１）の方法では、故障メッセージが一旦、最大表示メッセージ数を超えた後の故障の傾向が分からない。一方、（２）の方法では、タイムスロット内での故障の傾向が分からない。
【０００８】
そこで本発明は、上記の従来の課題に鑑みてなされたものであり、その目的とするところは、表示過多を防止し、かつ長い期間の故障傾向と短い期間の故障傾向の両方を把握することができる表示制御装置、表示制御方法、表示制御プログラム、表示制御プログラムを格納した記録媒体及び統合監視装置を提供することにある。
【０００９】
【課題を解決するための手段】
上記従来の課題を解決するために、請求項１の本発明は、複数のメッセージのそれぞれに故障日時が含まれるときの表示制御装置において、全体の表示期間を時分割してなる複数のタイムスロットのそれぞれにおいて、当該タイムスロットで一番早い故障日時を含むメッセージを表示させるとともに、予め設定された間隔で、前記表示させたメッセージ以降の表示をさせる表示制御手段を備えること特徴とする表示制御装置をもって解決手段とする。
【００１０】
請求項１の本発明によれば、全体の表示期間を時分割してなる複数のタイムスロットのそれぞれにおいて、当該タイムスロットで一番早い故障日時を含むメッセージを表示させるとともに、予め設定された間隔で、前記表示させたメッセージ以降の表示をさせるようにしたので、タイムスロット内での表示過多を防止しつつ故障の傾向を把握できる。しかも、当該表示態様が全てのタイムスロットに当てはまるので、長い期間での故障の傾向を把握することができる。
【００１１】
請求項２の本発明は、複数の監視装置のそれぞれが複数の監視対象ノードを監視するときの当該各監視装置から送信される故障メッセージに監視対象ノードでの故障日時が含まれているときに当該故障メッセージを受信して当該故障日時を含む表示用メッセージを生成する統合監視装置であって、全体の表示期間を時分割してなる複数のタイムスロットのそれぞれにおいて、当該タイムスロットで一番早い故障日時を含む表示用メッセージを表示させるとともに、予め設定された間隔で、前記表示させた表示用メッセージ以降の表示をさせる表示制御手段を備えること特徴とする統合監視装置をもって解決手段とする。
【００１２】
請求項２の本発明によれば、全体の表示期間を時分割してなる複数のタイムスロットのそれぞれにおいて、当該タイムスロットで一番早い故障日時を含む表示用メッセージを表示させるとともに、予め設定された間隔で、前記表示させた表示用メッセージ以降の表示をさせるようにしたので、タイムスロット内での表示過多を防止しつつ監視対象ノードでの故障の傾向を把握できる。しかも、当該表示態様が全てのタイムスロットに当てはまるので、長い期間での監視対象ノードの故障の傾向を把握することができる。
【００１３】
請求項３の本発明は、前記表示用メッセージには、前記監視対象ノードの中で故障の発生したものを示す故障発生ノード名が含まれ、前記表示制御手段は、当該故障発生ノード名が、当該故障発生ノード名に対するものとして予め設定されたノード名に等しい場合に限り表示制御を行うことを特徴とする請求項２記載の統合監視装置をもって解決手段とする。
【００１４】
請求項３の本発明によれば、表示用メッセージには、監視対象ノードの中で故障の発生したものを示す故障発生ノード名が含まれ、表示制御手段は、当該故障発生ノード名が、当該故障発生ノード名に対するものとして予め設定されたノード名に等しい場合に限り表示制御を行うので、目的の監視対象ノードの故障について、表示過多を防止し、かつ長い期間の故障傾向と短い期間の故障傾向の両方を把握することができる。
【００１５】
請求項４の本発明は、前記表示制御手段は、表示制御が必要である旨の情報が前記予め設定されたノード名に付与されている場合に限り表示制御を行うことを特徴とする請求項２または３記載の統合監視装置をもって解決手段とする。
【００１６】
請求項４の本発明によれば、表示制御手段は、表示制御が必要である旨の情報が予め設定されたノード名に付与されている場合に限り表示制御を行うので、目的の監視対象ノードの故障について、表示過多を防止し、かつ長い期間の故障傾向と短い期間の故障傾向の両方を把握することができる表示制御を必要なときに行うことができる。
【００１７】
請求項５の本発明は、前記表示用メッセージにはメッセージ本文が含まれ、前記表示制御手段は、当該メッセージ本文が、予め設定された要素により表される内容に等しい内容を表している場合に限り表示制御を行うことを特徴とする請求項２ないし４のいずれかに記載の統合監視装置をもって解決手段とする。
【００１８】
請求項５の本発明によれば、表示用メッセージにはメッセージ本文が含まれ、表示制御手段は、当該メッセージ本文が、予め設定された要素により表される内容に等しい内容を表している場合に限り表示制御を行うので、目的の内容の故障について、表示過多を防止し、かつ長い期間の故障傾向と短い期間の故障傾向の両方を把握することができる。
【００１９】
請求項６の本発明は、複数のメッセージのそれぞれに故障日時が含まれるときの表示制御装置が行う表示制御方法において、全体の表示期間を時分割してなる複数のタイムスロットのそれぞれにおいて、当該タイムスロットで一番早い故障日時を含むメッセージを表示させるとともに、予め設定された間隔で、前記表示させたメッセージ以降の表示をさせること特徴とする表示制御方法をもって解決手段とする。
【００２０】
請求項６の本発明によれば、全体の表示期間を時分割してなる複数のタイムスロットのそれぞれにおいて、当該タイムスロットで一番早い故障日時を含むメッセージを表示させるとともに、予め設定された間隔で、前記表示させたメッセージ以降の表示をさせるようにしたので、タイムスロット内での表示過多を防止しつつ故障の傾向を把握できる。しかも、当該表示態様が全てのタイムスロットに当てはまるので、長い期間での故障の傾向を把握することができる。
【００２１】
請求項７の本発明によれば、複数の監視装置のそれぞれが複数の監視対象ノードを監視するときの当該各監視装置から送信される故障メッセージに監視対象ノードでの故障日時が含まれているときに当該故障メッセージを受信して当該故障日時を含む表示用メッセージを生成する統合監視装置が行う表示制御方法であって、全体の表示期間を時分割してなる複数のタイムスロットのそれぞれにおいて、当該タイムスロットで一番早い故障日時を含む表示用メッセージを表示させるとともに、予め設定された間隔で、前記表示させた表示用メッセージ以降の表示をさせること特徴とする表示制御方法をもって解決手段とする。
【００２２】
請求項７の本発明によれば、複数の監視装置のそれぞれが複数の監視対象ノードを監視するときの当該各監視装置から送信される故障メッセージに監視対象ノードでの故障日時が含まれているときに当該故障メッセージを受信して当該故障日時を含む表示用メッセージを生成し、全体の表示期間を時分割してなる複数のタイムスロットのそれぞれにおいて、当該タイムスロットで一番早い故障日時を含む表示用メッセージを表示させるとともに、予め設定された間隔で、前記表示させた表示用メッセージ以降の表示をさせるようにしたので、タイムスロット内での表示過多を防止しつつ監視対象ノードでの故障の傾向を把握できる。しかも、当該表示態様が全てのタイムスロットに当てはまるので、長い期間での監視対象ノードの故障の傾向を把握することができる。
【００２３】
請求項８の本発明は、前記表示用メッセージには、前記監視対象ノードの中で故障の発生したものを示す故障発生ノード名が含まれ、当該故障発生ノード名が、当該故障発生ノード名に対するものとして予め設定されたノード名に等しい場合に限り表示制御を行うことを特徴とする請求項７記載の表示制御方法をもって解決手段とする。
【００２４】
請求項８の本発明は、表示用メッセージには、監視対象ノードの中で故障の発生したものを示す故障発生ノード名が含まれ、当該故障発生ノード名が、当該故障発生ノード名に対するものとして予め設定されたノード名に等しい場合に限り表示制御を行うので、目的の監視対象ノードの故障について、表示過多を防止し、かつ長い期間の故障傾向と短い期間の故障傾向の両方を把握することができる。
【００２５】
請求項９の本発明は、表示制御が必要である旨の情報が前記予め設定されたノード名に付与されている場合に限り表示制御を行うことを特徴とする請求項７または８記載の表示制御方法をもって解決手段とする。
【００２６】
請求項９の本発明によれば、表示制御が必要である旨の情報が、予め設定されたノード名に付与されている場合に限り表示制御を行うので、目的の監視対象ノードの故障について、表示過多を防止し、かつ長い期間の故障傾向と短い期間の故障傾向の両方を把握することができる表示制御を必要なときに行うことができる。
【００２７】
請求項１０の本発明は、前記表示用メッセージにはメッセージ本文が含まれ、当該メッセージ本文が、予め設定された要素により表される内容に等しい内容を表している場合に限り表示制御を行うことを特徴とする請求項７ないし９のいずれかに記載の表示制御方法をもって解決手段とする。
【００２８】
請求項１０の本発明によれば、表示用メッセージにはメッセージ本文が含まれ、当該メッセージ本文が、予め設定された要素により表される内容に等しい内容を表している場合に限り表示制御を行うので、目的の内容の故障について、表示過多を防止し、かつ長い期間の故障傾向と短い期間の故障傾向の両方を把握することができる。
【００２９】
請求項１１の本発明は、請求項６ないし１０のいずれかに記載の表示制御方法を実行させるプログラムである表示制御プログラムをもって解決手段とする。
【００３０】
請求項１１の本発明によれば、請求項６ないし１０のいずれかに記載の表示制御方法を実行させるプログラムである表示制御プログラムにより流通性を高めることができる。
【００３１】
請求項１２の本発明は、請求項６ないし１０のいずれかに記載の表示制御方法を実行させるプログラムである表示制御プログラムを格納した記録媒体をもって解決手段とする。
【００３２】
請求項１２の本発明によれば、請求項６ないし１０のいずれかに記載の表示制御方法を実行させるプログラムである表示制御プログラムを格納した記録媒体により流通性を高めることができる。
【００３３】
【発明の実施の形態】
以下、本発明の実施の形態を図面を参照して説明する。
【００３４】
図１は、本発明の表示制御装置及び統合監視装置を適用した通信ネットワークの構成図である。
【００３５】
図１に示すように、統合監視装置１は、複数の監視装置２に通信可能に構成され、各監視装置２は複数の監視対象ノード３に通信可能に構成されている。同一の監視装置２に通信可能にされた監視対象ノード３は同種のものであるが、異なる監視装置２に通信可能にされた監視対象ノード３同士は互いに異なる種類となっている。
【００３６】
統合監視装置１は、該統合監視装置１の動作を制御する制御部１１と、監視装置２から監視対象ノード３で発生した故障についての故障メッセージを受信する受信部１２と、統合監視装置１で生成された表示用メッセージを表示する表示部１３と、故障メッセージに基づいて表示用メッセージを生成するメッセージ生成部１４と、生成された表示用メッセージを取捨選択するメッセージフィルタ部１５と、取捨選択するためのルールが格納されたフィルタルールデータベース１６とを備える装置である。なお、制御部１１とメッセージフィルタ部１５により本発明の表示制御手段が構成される。
【００３７】
図２は、生成された表示用メッセージとフィルタルールデータベース１６のレコードの構成を示す図である。
【００３８】
表示用メッセージ１００は、故障の発生した日を示す故障日１０１と、故障の発生した時刻を示す故障時刻１０２と、故障の発生した監視対象ノード３を示す故障発生ノード名１０３と、故障の内容を示すメッセージ本文１０４とを含んでいる。
【００３９】
なお、これらの内容は、監視装置２から送信されて統合監視装置１で受信される故障メッセージにも含まれている。メッセージ生成部１４は、当該故障メッセージの表示形式を変えたものを表示用メッセージ１００とするのである。また、故障メッセージは、監視装置２が監視対象ノード３から故障の通知を受けたときに生成されて、そのときに統合監視装置１に送信される。
【００４０】
したがって、監視対象ノード３から監視装置２への故障の通知、並びに監視装置２から統合監視装置１への故障メッセージの送信は、時系列になされる。
【００４１】
フィルタルールデータベース１６のレコードに格納されているフィルタルールは、表示用メッセージ１００の取捨選択の要否を示すフィルタ要否フラグ２０１と、全体の表示期間（表示用メッセージの取捨選択が行われる期間でもあるので、フィルタ期間という）の開始日時を示すフィルタ開始日時２０２と、当該フィルタ期間の終了日時を示すフィルタ終了日時２０３と、監視対象ノード３を識別するためのフィルタ対象ノード名２０４と、処理対象の表示用メッセージ１００における不変要素を示す不変メッセージ要素２０５と、処理対象の表示用メッセージ１００における不変要素を示す変動メッセージ要素２０６と、フィルタ期間を同一時間長の複数の期間（タイムスロットという）に時分割するときのタイムスロットの時間長を示す単位時間長２０７と、ある表示用メッセージ１００が選択表示されてから次の表示用メッセージ１００が選択表示されるまでの表示用メッセージ１００の個数である表示インタバル２０８とを含んでいる。
【００４２】
次に、統合監視装置１の動作を説明する。なお、統合監視装置１は、タイムスロットの数を記憶するタイムスロット数３０１と、１つのタイムスロットの中での表示用メッセージ１００の出現回数の累計を記憶するメッセージカウンタ３０２を備えている。
【００４３】
図３に示すように、まず、ステップＳ１で、フィルタルールデータベース１６から、フィルタ開始日時２０２、フィルタ終了日時２０３及び単位時間長２０７を読み出し、フィルタ終了日時２０３からフィルタ開始日時２０２を減算し、減算結果を単位時間長２０７で除し、除算結果の小数点以下を切り捨て、切り捨ての結果をタイムスロット数３０１に書き込む。次に、メッセージカウンタ３０２に０を設定する。
【００４４】
なお、メッセージ生成部１４は、監視装置２からの故障メッセージが受信部１２により受信された場合に図２に示すような表示用メッセージ１００を生成する。なお、生成中に故障メッセージが受信された場合は、メッセージ生成部１４は、生成中の表示用メッセージ１００が完成した後に、当該受信された故障メッセージに対する表示用メッセージ１００を生成する。
【００４５】
図４に示すように、次に、制御部１１は、表示用メッセージ１００がメッセージ生成部１４により生成されたか否かを継続的に判定する（ステップＳ１１）。ＹＥＳと判定されたときは、メッセージフィルタ部１５が、フィルタルールデータベース１６からフィルタ対象ノード名２０４を読み出すとともに、このフィルタ対象ノード名２０４と、表示用メッセージ１００に含まれる故障発生ノード名１０３とが等しいか否かを判定する（ステップＳ１３）。ＹＥＳと判定されたときは、メッセージフィルタ部１５が、フィルタルールデータベース１６から不変メッセージ要素２０５と変動メッセージ要素２０６とを読み出すとともに、表示用メッセージ１００に含まれるメッセージ本文１０４が不変メッセージ要素２０５と変動メッセージ要素２０６とによって表されるものに等しいか否かを判定する（ステップＳ１５）
ステップＳ１５でＹＥＳと判定されたときは、メッセージフィルタ部１５が、フィルタルールデータベース１６からフィルタ要否フラグ２０１を読み出すとともに、当該フィルタ要否フラグ２０１が、処理すべきことを示すＯＮになっているか否かを判定する（ステップＳ１７）。
【００４６】
ステップＳ１７でＹＥＳと判定されたときは、メッセージフィルタ部１５が、フィルタルールデータベース１６からフィルタ開始日時２０２を読み出すとともに、表示用メッセージ１００の故障日１０１と故障時刻１０２によって示される故障日時がフィルタ開始日時２０２によって示される日時に等しいかまたは該日時よりも後の日時であるか否かを判定する（ステップＳ１９）。ＹＥＳと判定されたときは、メッセージフィルタ部１５が、フィルタルールデータベース１６からフィルタ終了日時２０３を読み出すとともに、故障日１０１と故障時刻１０２によって示される故障日時がフィルタ終了日時２０３によって示される日時に等しいかまたは該日時よりも前の日時であるか否か判定する（ステップＳ２１）。
【００４７】
ステップＳ２１でＹＥＳと判定されたときは、メッセージフィルタ部１５が、タイムスロット数３０１から１を減算するとともに、フィルタルールデータベース１６からフィルタ終了日時２０３と単位時間長２０７とを読み出し、該単位時間長２０７と前記の減算結果とを乗じ、読み出したフィルタ終了日時２０３から前記の乗算結果を減算し、さらに、故障日１０１と故障時刻１０２によって示される故障日時が、前記の減算結果によって示される日時に等しいかまたは該日時よりも前の日時であるか否か判定する（ステップＳ２３）。
【００４８】
なお、ステップＳ１３〜ステップＳ２１の各ステップにおいてＮＯと判定されたときは、処理が終了する。
【００４９】
さて、ステップＳ２３でＹＥＳと判定されたときは、メッセージフィルタ部１５が、メッセージカウンタ３０２に１を加算する（ステップＳ２５）とともに、メッセージカウンタ３０２が１に等しいか否かを判定する（ステップＳ２７）。ここでＹＥＳと判定されたときは、制御部１１が、当該表示用メッセージ１００を表示部１３に表示させる（ステップＳ３３）。
【００５０】
ステップＳ２７でＮＯと判定されたときは、メッセージフィルタ部１５が、
メッセージカウンタ３０２が表示インタバル２０８より大きいか否かを判定する（ステップＳ２９）。ＹＥＳと判定されたときは、メッセージフィルタ部１５がメッセージカウンタ３０２に１を設定し（ステップＳ３１）、その後、前記ステップＳ３３の処理が行われる。なお、ステップＳ３３またはステップＳ２９でＮＯと判定されたときは、ステップＳ１へ戻る。
【００５１】
さて、ステップＳ２３でＮＯと判定されたときは、メッセージフィルタ部１５がタイムスロット数３０１から１を減算する（ステップＳ３５）とともに、減算後のタイムスロット数３０１が０以下であるか否かを判定する（ステップＳ３７）。ここでＹＥＳと判定されたときは、処理が終了する。一方、ＮＯと判定されたときは、メッセージフィルタ部１５が、メッセージカウンタ３０２に０を設定する（ステップＳ３９）とともに、ステップＳ２３に制御を戻す。
【００５２】
図５は、表示インタバル２０８を３に設定し、タイムスロット数３０１が３になったときの表示態様を示す図である。
【００５３】
図５に示すように、１つのタイムスロット（ＴＳ）にあっては、一番早い故障日時を含む表示用メッセージの表示がなされた後は、表示インタバル２０８に設定された３の間隔で表示がなされるので、タイムスロット内での表示過多を防止しつつ故障の傾向を把握できる。しかも、当該表示態様が全てのタイムスロットに当てはまるので、長い期間での故障の傾向を把握することができる。
【００５４】
以上説明したように、本実施の形態の統合監視装置１によれば、本発明の表示制御装置と統合監視装置に相当するものである。統合監視装置１は、複数の監視装置のそれぞれが複数の監視対象ノードを監視するときの当該各監視装置から送信される故障メッセージに監視対象ノードでの故障日時が含まれているときに当該故障メッセージを受信して当該故障日時を含む表示用メッセージを生成し、全体の表示期間を時分割してなる複数のタイムスロットのそれぞれにおいて、当該タイムスロットで一番早い故障日時を含む表示用メッセージを表示させるとともに、予め設定された間隔で、前記表示させた表示用メッセージ以降の表示をさせるようにしたので、タイムスロット内での表示過多を防止しつつ監視対象ノードでの故障の傾向を把握できる。しかも、当該表示態様が全てのタイムスロットに当てはまるので、長い期間での監視対象ノードの故障の傾向を把握することができる。
【００５５】
また、表示用メッセージには、監視対象ノードの中で故障の発生したものを示す故障発生ノード名が含まれ、当該故障発生ノード名が、当該故障発生ノード名に対するものとして予め設定されたノード名（フィルタ対象ノード名２０４）に等しい場合に限り表示制御を行うので、目的の監視対象ノードの故障について、表示過多を防止し、かつ長い期間の故障傾向と短い期間の故障傾向の両方を把握することができる。
【００５６】
また、表示制御が必要である旨の情報（フィルタ要否フラグ）が、予め設定されたノード名（フィルタ対象ノード名）に付与されている場合に限り表示制御を行うので、目的の監視対象ノードの故障について、表示過多を防止し、かつ長い期間の故障傾向と短い期間の故障傾向の両方を把握することができる表示制御を必要なときに行うことができる。
【００５７】
また、表示用メッセージにはメッセージ本文が含まれ、当該メッセージ本文が、予め設定された不変メッセージ要素２０５や変動メッセージ要素２０６により表される内容に等しい内容を表している場合に限り表示制御を行うので、目的の内容の故障について、表示過多を防止し、かつ長い期間の故障傾向と短い期間の故障傾向の両方を把握することができる。
【００５８】
なお、上記説明した処理を統合監視装置１に実行させるコンピュータプログラムは表示制御プログラムであり、この表示制御プログラムを半導体メモリ、磁気ディスク、光ディスク、光磁気ディスク、磁気テープなどのコンピュータ読み取り可能な記録媒体に記録したり、インターネットなどの通信網を介して伝送させたりして、流通性を高めることができる。
【００５９】
【発明の効果】
以上説明したように、本発明によれば、全体の表示期間を時分割してなる複数のタイムスロットのそれぞれにおいて、当該タイムスロットで一番早い故障日時を含む表示用メッセージを表示させるとともに、予め設定された間隔で、前記表示させた表示用メッセージ以降の表示をさせるようにしたので、タイムスロット内での表示過多を防止しつつ監視対象ノードでの故障の傾向を把握できる。しかも、当該表示態様が全てのタイムスロットに当てはまるので、長い期間での監視対象ノードの故障の傾向を把握することができる。
【図面の簡単な説明】
【図１】本発明の表示制御装置及び統合監視装置を適用した通信ネットワークの構成図である。
【図２】表示用メッセージ１００とフィルタルールデータベース１６のレコードの構成を示す図である。
【図３】統合監視装置１の動作を示す第１のフローチャートである。
【図４】統合監視装置１の動作を示す第２のローチャートである。
【図５】表示インタバル２０８を３に設定し、タイムスロット数３０１が３になったときの表示態様を示す図である。
【図６】従来の統合監視装置が行う表示方法を示す図である。
【符号の説明】
１  統合監視装置
２  監視装置
３  監視対象ノード
１１  制御部
１２  受信部
１３  表示部
１４  メッセージ生成部
１５  メッセージフィルタ部
１６  フィルタルールデータベース
１００  表示用メッセージ
【図１】
2004260673.tif 000003
【図２】
2004260673.tif 000004
【図３】
2004260673.tif 000005
【図４】
2004260673.tif 000006
【図５】
2004260673.tif 000007
【図６】
2004260673.tif 000008